【事件の表示】
　特許第２９３５０６１号「留守番電話装置」の請求項１に係る特許に対する特許異議の申立てについて、次のとおり決定する。
【結　論】
　訂正を認める。
　特許第２９３５０６１号の請求項１に係る特許を維持する。
【理　由】
１．手続きの経緯
　出願日　　　　　　平成　２年　８月　８日
　登録日　　　　　　平成１１年　６月　４日
　特許異議申立　　　平成１２年　２月１０日
　取消理由通知　　　平成１２年　４月２８日
　特許異議意見書
　及び訂正請求書　　平成１２年　７月１７日
２．訂正の適否についての判断
訂正明細書の請求項１に係る発明は、その特許請求の範囲の請求項１に記載された事項により特定される次のとおりのものである。
「留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、前記電話番号データを音声信号に変換し、報知することができる電話番号報知手段と、リモコン信号検知手段と、それが予め定めたリモコン信号を検出した時に、前記入来メッセージ録音再生手段のメッセージを再生させ、メッセージの再生中に前記録音位置検出手段が検出する再生中のメッセージの録音位置と前記記憶手段に記憶されている録音位置とを比較して、前記録音位置と対応して記憶されている電話番号データを記憶手段から読み込み、そのデータを前記電話番号報知手段へ入力してその電話番号データを電話番号報知手段が音声信号によってリモコン操作者に報知することを特徴とする留守番電話装置。」
ア．訂正の内容
訂正事項ａ
　特許明細書の特許請求の範囲の請求項1に記載された
「留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、前記、電話番号データを音声信号に変換し、報知することができる電話番号報知手段と、リモコン信号検知手段と、それが予め定めたリモコン信号を検出した時に、前記、入来メッセージ録音再生手段のメッセージを再生させ、前記録音位置検出手段が検出する再生中のメッセージの録音位置と、前記記憶手段に記憶されている録音位置とを比較して、前記録音位置と対応して記憶されている電話番号データを前記、前記電話番号報知手段が音声信号によってリモコン操作者に報知することを特徴とする留守番電話装置。」を
「留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、前記電話番号データを音声信号に変換し、報知することができる電話番号報知手段と、リモコン信号検知手段と、それが予め定めたリモコン信号を検出した時に、前記入来メッセージ録音再生手段のメッセージを再生させ、メッセージの再生中に前記録音位置検出手段が検出する再生中のメッセージの録音位置と前記記憶手段に記憶されている録音位置とを比較して、前記録音位置と対応して記憶されている電話番号データを記憶手段から読み込み、そのデータを前記電話番号報知手段へ入力してその電話番号データを電話番号報知手段が音声信号によってリモコン操作者に報知することを特徴とする留守番電話装置。」と訂正する。
訂正事項ｂ
　特許明細書第２頁第３欄第１８行〜第２１行の「その出力の音声信号を入来メッセージ録音再生手段で録音させ、あるいは、リモコン操作時に前記電話番号報知手段に報知させるように」を
「予め定めたリモコン信号を検出した時、入来メッセージ録音再生手段のメッセージを再生させ、メッセージの再生中に録音位置検出手段が検出する再生中のメッセージの録音位置と記憶手段に記憶されている録音位置とを比較して、その録音位置と対応して記憶されている電話番号データを記憶手段から読み込み、そのデータを電話番号報知手段へ入力してその電話番号を音声信号によって報知するように」と訂正する。
イ．訂正の目的の適否、新規事項の有無及び拡張・変更の存否
　訂正事項ａ
　上記訂正事項ａは、特許請求の範囲の請求項１に記載された「それが予め定めたリモコン信号を検出した時に、前記、入来メッセージ録音再生手段のメッセージを再生させ、前記録音位置検出手段が検出する再生中のメッセージの録音位置と、前記記憶手段に記憶されている録音位置とを比較して、前記録音位置と対応して記憶されている電話番号データを前記、前記電話番号報知手段が音声信号によってリモコン操作者に報知することを特徴とする留守番電話装置」をより下位概念である「それが予め定めたりモコン信号を検出した時に、前記入来メッセージ録音再生手段のメッセージを再生させ、メッセージの再生中に前記録音位置検出手段が検出する再生中のメッセージの録音位置と前記記憶手段に記憶されている録音位置とを比較して、前記録音位置と対応して記憶されている電話番号データを記憶手段から読み込み、そのデータを前記電話番号報知手段へ入力してその電話番号データを電話番号報知手段が音声信号によってリモコン操作者に報知することを特徴とする留守番電話装置」と限定するものである。
　そして、この構成は、特許明細書第２頁第４欄第３３行から同欄第４７行及び第３図に記載された内容から明らかである。
　従って、この訂正は特許法第１２０条の４第２項ただし書き第１号に規定する特許請求の範囲の減縦を目的とするものである。
　また、上記訂正事項aは、願書に添付した明細書又は図面に記載した事項の範囲内の訂正であり、実質上特許請求の範囲を拡張したり又は変更するものでもない。
　訂正事項ｂ
　上記訂正事項ｂは、特許請求の範囲の訂正にともなって、特許請求の範囲の記載と発明の詳細な説明の記載との整合を図ったものであり、明りょうでない記載の釈明を目的としたものであ。
　従って、この訂正は特許法第１２０条の４第２項ただし書き第３号に相当するものである。
ウ．むすび
　以上のとおりであるから、上記訂正事項ａ、ｂは、特許法第１２０条の４第２項および同条第３項で準用する同法第１２６条第２、３項の規定に適合するので、当該訂正を認める。
３．特許異議申立について
　ア．申立人シャープ株式会社の申立ての理由の概要
　申立人シャープ株式会社は、証拠として甲第１号証（特開昭６３−２５２０５２号公報）及び甲第２号証（特開昭６３一２６０２５５号公報）を提示し、本件の請求項１に係る発明は、甲第１、２号証に記載された発明に基づいて当業者が容易に発明をすることができたものであるから、特許法第２９条第２項の規定に違反してなされたものであり、特許を取り消すべき旨主張している。
イ．引用刊行物
　当審が平成１２年４月２８日付けの取消理由通知で引用した引用刊行物１、２（申立人シャープ株式会社が証拠として提示した甲第１号証（特開昭６３−２５２０５２号公報）及び甲第２号証（特開昭６３一２６０２５５号公報））に記載された技術事項
　刊行物１（特開昭６３−２５２０５２号公報）には、次の技術事項が記載されている。
（１）「近年のディジタル網を利用した留守番電話装置では、発呼者からの要件情報と共に該発呼者端末の電話番号の告知を受けるサービスも実用化されようとしている。このサービスを利用して、留守番電話装置に発呼者からの要件情報とともに該発呼者端末の電話番号を記録しておき、・・・・・・・・リモート制御が指示されたときに、これら両者を留守番電話装置から利用者側端末に送信し、表示する機能を有する電話装置（利用者側端末）の提案もなされている。」　（第１頁右下欄第１８行〜第２頁左上欄第８行）
（２）リモート制御では、前述した如く留守番電話装置から利用者側端末に対して当該留守番電話装置に記憶されている発呼者からの用件情報および該発呼者側端末の電話番号の送出がなされる。係るリモート制御にもとづき前記留守番電話装置から利用者側端末に受信された前記用件情報および前記発呼者側端末電話番号は、制御部１２の用件情報出力部１２１の制御により、受話器９から音声として出力され、あるいはまた表示部１３に表示される。」（第３頁左下欄第１９行〜第４頁左上欄第４行及び第１、３図）
　そうすると、刊行物１には、留守番電話装置に発呼者からの用件情報と共に該発呼者端末の電話番号を記録しておき、これら両者を利用者側端末からのリモート制御により送信し、利用者側端末が、受信された用件情報および発呼者側端末の電話番号を音声として出力することが記載されているといえる。
　刊行物２（特開昭６３一２６０２５５号公報）には、次の技術事項が記載されている。
（１）「ディジタル電話機の使用者が第１図の電話機を自動応答モードに設定して外出しているものとする。この場合に着呼があると・・・・・・、信号チャネル（Ｄ）によりＩＳＤＮ回線（１）を介して送られた発呼者番号情報は、・・・・・・発ＩＤ記憶メモリ（２４）に格納される（ステップＳＢ参照）。次に、・・・・・・録音／再生部（２１）の起動がおこなわれ、録音されているメッセージが発呼者に伝えられることとなる（ステップＳＣ、ＳＤ）。・・・・・第１図の電話機の使用者が外出先の電話機（図示せず）を使用して、自宅にある第１図の電話機に発呼したと仮定し、第１図の電話機に着呼したとする。電話機は、ステップＳＡないしＳＤの動作で通話状態となる。このとき使用者が外出先電話機のＰＢボタン（図示せず）などを使用して所定の暗証番号などをＤＴＭＦ音で送ると、これがＤＴＭＦレシーバ（２２）によって検出され、ダイヤル数字が解読されて中央処理装置（２０）に入力される（ステップＳＧ参照）。次に、中央処理装置（２０）では、入力されたダイヤル数字を判定し（ステップＳＨ参照）、これが正しい場合には発ＩＤ記憶メモリ（２４）内に格納されている使用者が今回送った発呼者番号（外出先の番号）を消去する（ステップＳＩ参照）。そして更に、発ＩＤ記憶メモリ（２４）に他の発呼者番号があれば、その発呼者番号を音声出力するように音声合成部（２３）へ起動の指示が出される（ステップＳＪ、ＳＫ参照）。」（第３頁左下欄第８行〜第４頁左上欄第１４行及び第１、２図）
　そうすると、刊行物２には、着呼時に発呼者番号を検出して格納すると共に、ＤＴＭＦ信号に基づいて発呼者番号を音声合成して出力することが記載されているといえる。
イ．対比・判断
　本件請求項１に係る発明と刊行物１、２に記載された発明とを対比すると、刊行物１、２のいずれにも本件請求項１に係る発明の構成要件であるところの、「メッセージの再生中に前記録音位置検出手段が検出する再生中のメッセージの録音位置と前記記憶手段に記憶されている録音位置とを比較して、前記録音位置と対応して記憶されている電話番号データを記憶手段から読み込む」ようにした点については、記載がなく、かつ、この点は、留守番電話装置において周知の事項でもなく、また、刊行物１、２に記載された事項から容易に想到できるものでもない。
　そして、本件請求項１に係る発明は、上記構成要件を有することにより、明細書に記載されたとおりの作用・効果を奏するものである。
　したがって、本件請求項１に係る発明は、刊行物１、２に記載された発明に基づいて当業者が容易に発明をすることができたものであるとはいえない。
４．むすび
　以上のとおりであるから、特許異議申立人の理由及び証拠によっては、本件の請求項１に係る特許を取り消すことはできない。
　また、他に本件の請求項１に係る特許を取り消すべき理由を発見しない。
　よって、結論のとおり決定する。
【異議決定日】
平成１２年７月２８日（２０００．７．２８）
【訂正の要旨】
訂正の要旨
　特許明細書の特許請求の範囲の請求項１に記載された
「留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、前記、電話番号データを音声信号に変換し、報知することができる電話番号報知手段と、リモコン信号検知手段と、それが予め定めたリモコン信号を検出した時に、前記、入来メッセージ録音再生手段のメッセージを再生させ、前記録音位置検出手段が検出する再生中のメッセージの録音位置と、前記記憶手段に記憶されている録音位置とを比較して、前記録音位置と対応して記憶されている電話番号データを前記、前記電話番号報知手段が音声信号によってリモコン操作者に報知することを特徴とする留守番電話装置。」を、特許請求範囲の減縮を目的として
「留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、前記電話番号データを音声信号に変換し、報知することができる電話番号報知手段と、リモコン信号検知手段と、それが予め定めたリモコン信号を検出した時に、前記入来メッセージ録音再生手段のメッセージを再生させ、メッセージの再生中に前記録音位置検出手段が検出する再生中のメッセージの録音位置と前記記憶手段に記憶されている録音位置とを比較して、前記録音位置と対応して記憶されている電話番号データを記憶手段から読み込み、そのデータを前記電話番号報知手段へ入力してその電話番号データを電話番号報知手段が音声信号によってリモコン操作者に報知することを特徴とする留守番電話装置。」と訂正する。
　訂正事項ｂ
　特許明細書第２頁第３欄第１８行〜第２１行の「その出力の音声信号を入来メッセージ録音再生手段で録音させ、あるいは、リモコン操作時に前記電話番号報知手段に報知させるように」を、明りょうでない記載の釈明を目的として、
「予め定めたリモコン信号を検出した時、入来メッセージ録音再生手段のメッセージを再生させ、メッセージの再生中に録音位置検出手段が検出する再生中のメッセージの録音位置と記憶手段に記憶されている録音位置とを比較して、その録音位置と対応して記憶されている電話番号データを記憶手段から読み込み、そのデータを電話番号報知手段へ入力してその電話番号を音声信号によって報知するように」と訂正する。
（５４）【発明の名称】
留守番電話装置
（５７）【特許請求の範囲】
　（１）留守番電話装置において、電話番号データを検出する電話番号検知手段と、その検知出力またはベル信号の入力によって自動的に応答メッセージを送出する応答メッセージ送出手段と、入来メッセージ録音再生手段と、その入来メッセージの録音位置検出手段と、それが検出した入来メッセージ録音位置と、前記検知した電話番号データとを対応させて記憶する記憶手段と、
前記電
前記入
メッセージの再生中に
と前記
を記憶手段から読み込み、そのデータを前記電話番号報知手段へ入力してその電話番号データを
　（２）電話番号検知手段が検知した電話番号データを音声信号に変換する変換手段を設け、その変換出力を入来メッセージ録音再生手段に録音させるように制御手段に制御させる構成としたことを特徴とする請求項（１）記載の留守番電話装置。
【発明の詳細な説明】
　（産業上の利用分野）
　本発明は発呼者側の電話番号を自動的に記憶して、音声信号により再生することができる留守番電話装置に関するものである。
　（従来の技術）
　従来から、録音されたメッセージを電話回線を介してリモコン操作により聴取できる留守番電話装置がある。
　（発明が解決しようとする課題）
　しかしながら、そのような従来の留守番電話装置は発呼者がメッセージ録音時に、自己の電話番号を録音しなかった場合、受注者は発呼者に電話をしようとしても、電話番号を調べる必要があり、面倒な、しかも時間を要すると言う問題点を有していた。
　本発明は、上記従来技術の問題を排除して留守番電話装置のリモコン操作時に録音されたメッセージ入力者の電話番号を報知することが可能な留守番電話装置を提供することを目的とする。
　（課題を解決するための手段）
　本発明は上記の目的を、留守番電話装置において、電話番号データを検出する電話番号検知手段と、その検知出力、あるいはベル信号に自動的に応答して送出する、応答メッセージ送出手段と、入来メッセージ録音再生手段と、前記電話番号検知手段が検知した電話番号データを音声信号に変換する電話番号報知手段と、
予め定めたリモコン信号を検出した時、入来メッセージ録音再生手段のメッセージを再生させ、メッセージの再生中に録音位置検出手段が検出する再生中のメッセージの録音位置と記憶手段に記憶されている録音位置とを比較して、その録音位置と対応して記憶されている電話番号データを記憶手段から読み込み、そのデータを電話番号報知手段へ入力してその電話番号を音声信号によって報知するように
　（実施例）
　以下、本発明の実施例を図面を参照しながら説明する。実施例は、カセットテープＩＣＭ録音方式の留守番電話の構成を示すものである。
　第１図は第１の実施例における留守番電話装置の主要部の構成を示すブロック図、第２図はメッセージテープの現在位置を検知するための回転数カウント装置の構成図、第３図は留守番電話の着信動作を示すフローチャートである。
　第１図において、１は電話回線、２は電話回線１からのベル信号を検知するためのベル検知手段、３は電話交換局からベル信号と共に送られてくる発呼者の電話番号データを検出する電話番号検知手段、４は留守番電話装置の制御手段でマイクロコンピュータで構成される（以下、マイコンという）。５は電話番号検知手段３により検知された電話番号を記憶する記憶手段で、前記制御手段４のマイコン内部、または外部のＩＣメモリで構成される。６はリモコン信号を検知するためのリモコン信号検知手段、７は記憶手段５により記憶されている電話番号を報知するための電話番号報知手段で、音声合成ＩＣで構成される。８は電話回線１と留守番電話装置を接続するインタフェイス回路、９は電話回線１にＯＧＭを送出するためのＯＧＭ送出手段、１０は入来メッセージを録音するＩＣＭ録音手段、１１はメッセージを再生録音するためのカセットデッキを制御するカセットデッキ制御手段、１２はテープの現在位置を検知するためのテープ軸回転数カウンタであり、第２図のようにカセットテープの一方の回転軸１３に磁石１４を固着させ、その磁力によりマイクロスイッチ１５をオンオフさせてテープの現在位置を検出する。
　以上のように構成された本発明の留守番電話装置は以下第３図のフローチャートで説明するように動作する。
　まず、本装置に留守番電話機能を行なわせるために、入力スイッチ（図示せず）を押下し、ベル待機状態にする。次に電話回線１からベル信号が入力されるとベル検知手段２がそれを検知し（Ｓ（ステップ）１）、マイコン４に入力する。同時に電話番号検知手段３が電話回線１を介して送られてきた発呼者の電話番号データを検知し、マイコン４に入力して記憶手段５に記憶させる（Ｓ２）。ベル信号が入力されたマイコン４は、インタフェイス回路８により電話回線１を捕足し（Ｓ３）、ＯＧＭ送出手段９によりＯＧＭを送出する（Ｓ４）。
　ＯＧＭの送出が完了すると、ＩＣＭ録音手段１０は入来メッセージの録音を開始する（Ｓ５）、その入来メッセージ録音中はテープ軸回転数カウンタ１２により現在のテープ位置をカウントしている。テープ軸回転数カウンタ１２は、前述したように回転軸１３の回転により、取り付けられた磁石１４がマイクロスイッチ１５をオンオフさせ、パルス信号を出力し、そのパルス信号のカウントにより現在のテープ位置を検出する。前記、入来メッセージの録音を終了するとテープ軸回転数カウンタ１２により、カウントされたテープの終了位置と、入来メッセージとを対にして記憶手段５に記憶させる（Ｓ６）。
　前記ＯＧＭ送出中（Ｓ４）あるいはＩＣＭ録音中（Ｓ６）にリモコン信号検知手段６により、予め設定されたリモートコードが検知されると、リモコン動作に移行し（Ｓ７）リモートコマンド待ちになる。リモートコマンド待ち中に予め設定されているメッセージ再生用のリモコンコマンドがリモコン信号検知手段６により検知されると、既にテープに録音されているメッセージの再生を始め（Ｓ８）、設定された電話番号報知用のリモコンコマンドがリモコン信号検知手段により検知されると、マイコン４はメッセージの再生を一時停止して（Ｓ９）、テープ軸回転数カウンタ１２により得られる現在のテープ位置と記憶手段５に記憶されている入来メッセージ電話番号のメッセージ終了位置と比較して（Ｓ１０）、現在、再生した入来メッセージの電話番号データを記憶手段５からマイコン４が読み込み、そのデータを電話番号報知手段７に、それが動作可能な信号に変換して入力する。このデータを受けた電話番号検知手段７は、メッセージ録音者の電話番号を音声により電話回線１に出力し（Ｓ１１）、電話番号報知後は再生を再開する。全てのメッセージの再生を終了すると、リモコンのコマンド待ちとなる（Ｓ１２）。また、図示しない電話番号報知スイッチをオンにすることにより（Ｓ１３）、１つのメッセージの報知終了毎に自動的に再生を一時停止して、そのメッセージ録音者の電話番号を合成音声により電話回線１に出力し順次メッセージの再生を行うこともできる。
　なお、本実施例においては、記憶手段５としてメモリを用いたがメッセージテープ中にメッセージ開始点、終了点または録音中に、デジタル信号として残しておくことも可能である。また、ＩＣＭはテープに録音されるとしたが、メモリＩＣに録音してもよく、この場合メッセージの終了位置はアドレスで管理される。さらにまた、ベル信号を検出することにより回線を閉結しているが、これは発呼者の電話番号を電話番号検知手段が検知することにより電話回線を閉結してもよい。
　第１の実施例のように構成された留守番電話装置について、以下第４図は第２の実施例の動作を示すフローチャートであり、構成は前述の第１図を援用する。
　まず、本装置を留守番電話装置として使用するために、図示していないオンスイッチを押下しベル待機状態にする。次に電話回線１からベル信号が入力されるとベル検知手段２がこれを検知し（Ｓｌ）マイコン４に伝える。同時に電話番号検知手段３が電話交換局から送られてきた発呼者側の電話番号を検知しマイコン４に伝え電話番号は記憶手段５に記憶される（Ｓ２）。ベル信号を受けたマイコン４はインタフェイス回路８で回線を掴み（Ｓ３）、ＯＧＭ送出手段９によりＯＧＭを送出する（Ｓ４）。ＯＧＭの送出を完了すると、ＩＣＭ録音手段１０により入来メッセージの録音を開始する（Ｓ５）。前記入来メッセージの録音を終了するとマイコン４は、いま録音された入来メッセージの電話番号を記憶手段５から読み込み、それを電話番号報知手段７が動作可能な信号に変換して送る。このデータを受けた電話番号報知手段７は、メッセージ録音者の電話番号を合成音声信号により、いま録音されたメッセージの終点位置に電話番号を書き込む（Ｓ１４）。前記ＯＧＭ送出中或いはＩＣＭ録音中にリモコン信号検知手段６により予め設定されたリモートコードを検知すると、リモコン動作に移行し（Ｓ１５）、リモートコマンド待ちになり、予め設定されたメッセージ再生用のリモートコマンドをリモコン検知手段６が検知すると、テープに録音されているメッセージの再生を始める（Ｓ１６）。１メッセージの再生が終了する毎に続いて、録音された発呼者の電話番号を報知する。
　以上、第２の実施例を説明したが、テープに録音するとしたＩＣＭは、メモリＩＣＭ録音してもよいことは当然である。
　（発明の効果）
　発呼者に送出する応答メッセージの送出手段と、発呼者が入力する入来メッセージを録音再生する手段を有する留守番電話装置において、電話番号データまたはベル信号の検知によって自動的に応答メッセージを送出する手段と、上記電話番号データの検知出力を音声信号に変換する電話番号報知手段と、その出力の音声信号を上記、入来メッセージの録音再生手段に録音させ、あるいは電話回線を介して行うリモコン操作者に報知するように制御する制御手段とを備えているから、リモコン操作者はリモコン操作によりメッセージの聴取後直ちに上記、報知される電話番号によってダイヤルしてメッセージ録音者と連絡をとることが可能であり、連絡の迅速性を有し、電話番号の確認などの面倒さもない利点があり、用いる効果に大きなものがある。
【図面の簡単な説明】
　第１図は本発明の実施例における留守番電話装置を示すブロック図、第２図は本発明要部の回転数カウントを示す図、第３図，第４図は動作を示すフローチャートである。
　１…電話回線、２…ベルト検知手段、
　３…電話番号検知手段、４…マイコン、
　５…記憶手段、６…リモコン信号検知手段、７…電話番号報知手段、
　８…インタフェイス回路、９…ＯＧＭ送出手段、１０…ＩＣＭ録音手段、
　１１…カセットデッキ制御手段。